(57)【要約】      （修正有）【課題】異なる仕様のコネクタとケーブルを圧着できる単一の圧着工具を提供する。【解決手段】カセット２００は、ヘッド１３０および駆動素子１４０を有する工具本体１００に着脱可能に配置される。駆動素子の動きの方向は、第一の軸を画定する。カセットは、カセット本体および加工ブロック２２０を備える。カセット本体は、工具本体のヘッドの開口に着脱可能に配置され、中に加工開口２１４を有する。加工ブロックは、第一の軸に沿って摺動可能にカセット本体に配置され、工具本体の駆動素子に着脱可能に係合される係合素子２２２を有する。係合素子を介して、駆動素子は加工ブロックを、第一の軸に沿って摺動するよう駆動し、加工開口に向かってまたは加工開口から離れるように動かす。【選択図】図１Ａ
2019071287.tif 000002
【特許請求の範囲】
【請求項１】
工具本体に着脱可能に配置される、コネクタを加工するためのカセットであり、前記工具本体はヘッドと駆動素子とを備え、前記駆動素子の動きの方向は第一の軸を画定する、カセットであって、
前記工具本体の前記ヘッドの開口に着脱可能に配置され、その中に加工開口を有するカセット本体と、
前記カセット本体に摺動可能に配置され、前記工具本体の前記駆動素子に着脱可能に係合される係合素子を有する加工ブロックと、を備え、
前記係合素子を介して、前記駆動素子は、前記加工ブロックを、前記第一の軸に沿って摺動するよう駆動して、前記加工開口に向かってまたは前記加工開口から離れるように動かす、カセット。
【請求項２】
前記駆動素子は雄構造であり、前記係合素子は雌構造であり、前記カセット本体はその中にスロットを設けられ、前記加工ブロックは前記スロット内に摺動可能に配置される、請求項１に記載のカセット。
【請求項３】
前記加工ブロックは、前記カセット本体の一方側に配置された圧着構造と、前記カセット本体の他方側に配置されたせん断構造と、を備え、
前記加工ブロックが稼働位置へと駆動されると、前記圧着構造は、前記加工開口の一方側に部分的に重なり、前記せん断構造は、前記加工開口の他方側に完全に重なる、請求項２に記載のカセット。
【請求項４】
前記工具本体は、前記開口の内部側面に配置された第一の接続構造をさらに備え、前記カセット本体は、その上に配置された第二の接続構造をさらに備え、
前記第一の接続構造は、前記カセット本体が前記工具本体内に固定されるように、前記第二の接続構造と係合する、請求項３に記載のカセット。
【請求項５】
前記第二の接続構造は、ストッパと、第一のフックと、第二のフックと、を備え、
前記ストッパは、前記カセット本体が前記工具本体の前記ヘッドの前記開口に配置される際、前記工具本体の前記ヘッドの第一の面および第二の面の一つに、前記第一の軸に垂直な第二の軸に沿って当接し、
前記第一のフックおよび前記第二のフックは、前記カセット本体の二つの側面にそれぞれ配置され、前記第二の軸に略平行な方向に、前記ストッパから離れるように延在する、請求項４に記載のカセット。
【請求項６】
前記第一のフックおよび前記第二のフックは、前記カセット本体の前記二つの側面に、前記第一の軸の方向に沿って非対称に配置され、前記工具本体の前記ヘッドの前記第一および第二の面の他方と係合する、請求項５に記載のカセット。
【請求項７】
前記第一の接続構造は、第一の切欠きと、第二の切欠きと、第三の切欠きと、第四の切欠きと、を備え、
前記第一の切欠きおよび前記第三の切欠きは、前記ヘッドの前記開口の一方の内部側面に配置され、前記第二の切欠きおよび前記第四の切欠きは、前記ヘッドの前記開口の他方の内部側面に配置され、
前記第一の切欠きおよび前記第二の切欠きは、前記ヘッドの前記第二の面からのくぼみを形成し、前記第三の切欠きおよび前記第四の切欠きは、前記ヘッドの前記第一の面からのくぼみを形成する、請求項６に記載のカセット。
【請求項８】
前記第一の切欠きおよび前記第四の切欠きは、同じ第一の高さにあり、前記第二の切欠きおよび前記第三の切欠きは、同じ第二の高さにあり、前記第一の高さは、前記第二の高さよりも高く、
前記カセット本体が前記ヘッドの前記第二の側面側から前記ヘッドに挿入されると、前記第一のフックおよび前記第二のフックは、前記第一の切欠きおよび前記第二の切欠きにそれぞれ係合し、前記カセット本体が前記ヘッドの前記第一の側面側から前記ヘッドに挿入されると、前記第一のフックおよび前記第二のフックは、前記第三の切欠きおよび前記第四の切欠きにそれぞれ係合する、請求項７に記載のカセット。
【請求項９】
圧着工具であって、
工具本体であって
第一のハンドルと、
前記第一のハンドルに枢動可能に接続された第二のハンドルと、
前記第一のハンドルに接続されたヘッドと、
前記第二のハンドルに接続されかつ前記第二のハンドルによって作動される駆動素子であって、前記駆動素子の動きの方向は第一の軸を画定する、駆動素子と、を備える工具本体と、
カセットであって、
前記工具本体の前記ヘッドの開口に着脱可能に配置され、その中に加工開口を備えるカセット本体と、
前記カセット本体に摺動可能に配置され、前記工具本体の前記駆動素子に着脱可能に係合される係合素子を有する加工ブロックであって、前記係合素子を介して、前記駆動素子は、前記加工ブロックを、前記第一の軸に沿って摺動するよう駆動して、前記加工開口に向かってまたは前記加工開口から離れるように動かす、加工ブロックと、を備えるカセットと、を備える圧着工具。
【請求項１０】
前記駆動素子は雄構造であり、前記係合素子は雌構造であり、前記カセット本体はその中にスロットを設けられ、前記加工ブロックは前記スロット内に摺動可能に配置される、請求項９に記載の圧着工具。
【請求項１１】
前記加工ブロックは、前記カセット本体の一方側に配置された圧着構造と、前記カセット本体の他方側に配置されたせん断構造と、を備え、
前記加工ブロックが稼働位置へと駆動されると、前記圧着構造は、前記加工開口の一方側に部分的に重なり、前記せん断構造は、前記加工開口の他方側に完全に重なる、請求項１０に記載の圧着工具。
【請求項１２】
前記工具本体は、前記開口の内部側面に配置された第一の接続構造をさらに備え、前記カセット本体は、その上に配置された第二の接続構造をさらに備え、
前記第一の接続構造は、前記カセット本体が前記工具本体内に固定されるように、前記第二の接続構造と係合する、請求項１１に記載の圧着工具。
【請求項１３】
前記第二の接続構造は、ストッパと、第一のフックと、第二のフックと、を備え、
前記ストッパは、前記カセット本体が前記工具本体の前記ヘッドの前記開口に配置される際、前記工具本体の前記ヘッドの第一の面および第二の面の一つに、前記第一の軸に垂直な第二の軸に沿って当接し、
前記第一のフックおよび前記第二のフックは、前記カセット本体の二つの側面にそれぞれ配置され、前記第二の軸に略平行な方向に、前記ストッパから離れるように延在する、請求項１２に記載の圧着工具。
【請求項１４】
前記第一のフックおよび前記第二のフックは、前記工具本体の前記ヘッドの前記第一および第二の面の他方と係合し、前記カセット本体の前記二つの側面に、前記第一の軸の方向に沿って非対称に配置される、請求項１３に記載の圧着工具。
【請求項１５】
前記第一の接続構造は、第一の切欠きと、第二の切欠きと、第三の切欠きと、第四の切欠きと、を備え、
前記第一の切欠きおよび前記第三の切欠きは、前記ヘッドの前記開口の一方の内部側面に配置され、前記第二の切欠きおよび前記第四の切欠きは、前記ヘッドの前記開口の他方の内部側面に配置され、
前記第一の切欠きおよび前記第二の切欠きは、前記ヘッドの前記第二の面からのくぼみを形成し、前記第三の切欠きおよび前記第四の切欠きは、前記ヘッドの前記第一の面からのくぼみを形成する、請求項１４に記載の圧着工具。
【請求項１６】
前記第一の切欠きおよび前記第四の切欠きは、同じ第一の高さにあり、前記第二の切欠きおよび前記第三の切欠きは、同じ第二の高さにあり、前記第一の高さは、前記第二の高さよりも高く、
前記カセット本体が前記ヘッドの前記第二の側面側から前記ヘッドに挿入されると、前記第一のフックおよび前記第二のフックは、前記第一の切欠きおよび前記第二の切欠きにそれぞれ係合し、前記カセット本体が前記ヘッドの前記第一の側面側から前記ヘッドに挿入されると、前記第一のフックおよび前記第二のフックは、前記第三の切欠きおよび前記第四の切欠きにそれぞれ係合する、請求項１５に記載の圧着工具。
【発明の詳細な説明】
【関連出願への相互参照】
【０００１】
本発明は、２０１５年１０月１３日出願の台湾出願番号１０４１３３５７２“コネクタを加工するための着脱可能カセットおよびこれを有する圧着工具”の優先権の利益を主張し、その内容は、本明細書に参照として組み込まれる。
【技術分野】
【０００２】
本発明は、物品を加工するための装置に関し、特に、コネクタを加工するための着脱可能カセットおよびこれを有する圧着工具に関する。
【背景技術】
【０００３】
ケーブルまたはワイヤは、電子機器間で信号を送信するためによく使われる。例えばケーブルは、テレビ、電話、コンピュータ等からそれらに信号を送信するために使われる。これらの信号は、映像信号、音声信号、およびパックデータを含む。コネクタは、ケーブルを電子機器と接続するために使われ、通常ケーブルの端部に配置される。これらのコネクタは、ＲＪ−４５コネクタ、８Ｐ８Ｃモジュールコネクタとして規格化されたコネクタ、およびＲＪ−１１コネクタ、電話接続用コネクタ等を含む。コネクタハウジングが、ワイヤの内部位置を固定するよう圧着される際、その内部に収容された電気接触ブレードはまた、それらが、関連した雌コネクタのソケットの対応する接点のブレードに噛合係合する位置を取る。ＵＳ５９４１１２０に記載されたプライヤ等の従来の圧着工具は、絶縁ケーブルとコネクタを、それらが電気的および物理的に接続されるよう圧着するために使われる。さらに、台湾特許公開番号５３４５１０は、絶縁ケーブルをせん断、剥離、および絶縁ケーブルをその異なる部分とそれぞれ圧着できる、ケーブルコネクタを圧着するための工具を開示する。
【０００４】
しかしながら、これらの従来の工具はそれぞれ、特定の仕様のコネクタとケーブルを圧着できるのみである。よって、異なる仕様のコネクタとケーブルを圧着するためには、ユーザはいくつかの異なる圧着工具を持ち歩く必要があり、これはユーザにとって不便かつ面倒である。
【０００５】
上記のことから、異なる仕様のコネクタとケーブルを圧着できる単一の圧着工具が必要となる。
【発明の概要】
【０００６】
本発明の一実施形態では、コネクタを加工するためのカセットが提供される。カセットは、ヘッドおよび駆動素子を有する工具本体に着脱可能に配置される。駆動素子の動きの方向は、第一の軸を画定する。カセットは、カセット本体および加工ブロックを備える。カセット本体は、工具本体のヘッドの開口に着脱可能に配置され、中に加工開口を有する。加工ブロックは、第一の軸に沿って摺動可能にカセット本体に配置され、工具本体の駆動素子に着脱可能に係合される係合素子を有する。係合素子を介して、駆動素子は加工ブロックを、第一の軸に沿って摺動するよう駆動し、加工開口に向かってまたは加工開口から離れるように動かす。
【０００７】
本発明の他の実施形態では、工具本体およびカセットを備える圧着工具が提供される。工具本体は、第一のハンドル、第二のハンドル、ヘッド、および駆動素子を備える。第二のハンドルは、第一のハンドルに枢動可能に接続される。ヘッドは、第一のハンドルに接続される。駆動素子は、第二のハンドルに接続されかつ前記第二のハンドルによって作動される。駆動素子の動きの方向は、第一の軸を画定する。カセットは、カセット本体および加工ブロックを備える。カセット本体は、工具本体のヘッドの開口に着脱可能に配置され、中に加工開口を備える。加工ブロックは、カセット本体に第一の軸に沿って摺動可能に配置され、工具本体の駆動素子に着脱可能に係合される係合素子を有する。係合素子を介して、駆動素子は加工ブロックを、第一の軸に沿って摺動するよう駆動し、加工開口に向かってまたは加工開口から離れるように動かす。
【図面の簡単な説明】
【０００８】
【図１Ａ】休止状態にある、本発明の一実施形態の圧着工具を示す模式図。
【図１Ｂ】稼働状態にある、本実施形態の圧着工具を示す模式図。
【図２Ａ】休止状態にある本発明の一実施形態のカセットを示し、せん断構造が示される模式図。
【図２Ｂ】休止状態にある本実施形態のカセットを示し、せん断構造が示される他の模式図。
【図３Ａ】休止状態にある本実施形態のカセットを示し、圧着構造が示されるさらなる模式図。
【図３Ｂ】休止状態にある本実施形態のカセットを示し、圧着構造が示されるさらなる模式図。
【図４Ａ】稼働状態にある本実施形態のカセットを示し、せん断構造が示される模式図。
【図４Ｂ】稼働状態にある本実施形態のカセットを示し、せん断構造が示される他の模式図。
【図５Ａ】稼働状態にある本実施形態のカセットを示し、圧着構造が示されるさらなる模式図。
【図５Ｂ】稼働状態にある本実施形態のカセットを示し、圧着構造が示されるさらなる模式図。
【図６Ａ】せん断および圧着される前のコネクタおよびケーブルを示す模式図。
【図６Ｂ】せん断および圧着された後のコネクタおよびケーブルを示す模式図。
【図７Ａ】カセットが工具本体のヘッドの開口に、その一方側から挿入される、本発明の一実施形態を示す模式図。
【図７Ｂ】カセットが工具本体のヘッドの開口に、その他方側から挿入される、本発明の一実施形態を示す模式図。
【発明を実施するための形態】
【０００９】
本発明の特性、主題、利点、および効果が、本発明の実施形態および付属の図面を参照して以下に詳細に説明される。以下の説明において参照される図面は、単に説明目的であり、必ずしも実施形態の実際の比率および正確な構成を示すものではないことが理解される。よって、図面に示される比率および構成は、本発明の範囲を限定または制限すると見なされるべきではない。
【００１０】
図１Ａおよび１Ｂを参照されたい。図１Ａは、休止状態にある、本発明の一実施形態の圧着工具１０示し、そのハンドル１１０、１２０は拡張位置にある。図１Ｂは、稼働状態にある圧着工具１０を示し、本実施形態の圧着工具１０のハンドル１１０、１２０は収縮位置にある。図１Ａおよび１Ｂに示すように、圧着工具１０は、工具本体１００およびカセット２００を備える。工具本体１００は、第一のハンドル１１０、第二のハンドル１２０、ヘッド１３０、および駆動素子１４０を備える。第二のハンドル１２０は第一のハンドル１１０に枢接されており、第二のハンドル１２０は、第二のハンドル１２０が第一のハンドル１１０から離れる第一の位置（図１Ａに示す）と、第二のハンドル１２０が第一のハンドル１１０に近接する第二の位置（図１Ｂに示す）との間の回転経路に沿って枢動する。ヘッド１３０は第一のハンドル１１０に接続され、カセット２００を受容するための開口１３１を有する。駆動素子１４０は、第二のハンドル１２０に接続され、第二のハンドル１２０によって作動する。ユーザがハンドル１１０、１２０を握ると、第二のハンドル１２０は駆動素子１４０を上方に動くよう促し、カセット２００が作動してコネクタおよびケーブルをせん断および／または圧着するなどして加工する。圧着工具１０はその際、休止状態から稼働状態に切り替えられる。ユーザがハンドル１１０、１２０を放すと、二つのハンドル１１０、１２０のピボットに設けられたスプリングが第二のハンドル１２０を付勢することで、ハンドル１１０、１２０は拡張位置へと促され、駆動素子１４０は元の位置へ後退する。圧着工具１０はその際、稼働状態から休止状態に切り替えられる。上記の動作時、駆動素子１４０の動きの方向（すなわち上方向または下方向）は、第一の軸（Ｌ１）を画定する。
【００１１】
図２Ａ、２Ｂ、３Ａ、３Ｂ、７Ａ、および７Ｂに示すように、カセット２００は、カセット本体２１０および加工ブロック２２０を備える。カセット本体２１０は、工具本体１００のヘッド１３０の開口１３１に着脱可能に配置され、その中に加工開口２１４を有する。カセット本体２１０は、その中にスロット２１２が設けられ、加工ブロック２２０は、第一の軸（Ｌ１）に沿ってスロット２１２に摺動可能に配置される。この着脱可能な設計で、本発明の一実施形態の圧着工具１０は、対応するカセット２００を使うことによって、異なる仕様のコネクタおよびケーブルを圧着することが出来る。カセット２００の加工開口２１４は、特定のコネクタ（例えばＲＪ−４５コネクタ、ＲＪ−１１コネクタ等）およびケーブルに嵌合する。異なるカセットは、異なる仕様のコネクタおよびケーブルと使うことができる。つまり、本発明の一実施形態は、異なる加工開口のカセットと使うことが出来る工具本体１００を提供する。これらのカセットのカセット本体は、同じ工具本体１００の開口１３１に全てが嵌合できるような、同じまたは同様の外形をしている。
【００１２】
カセット本体２１０のスロット２１２に摺動可能に設けられた加工ブロック２２０と、工具本体１００の係合素子２２２とが相互接続される。加工ブロック２２０は、工具本体１００の駆動素子１４０と着脱可能に係合されるための係合素子２２２を有する。係合素子２２２を介して、駆動素子１４０は、加工ブロック２２０を駆動して、第一の軸（Ｌ１）に沿って摺動して加工開口２１４に向かってまたは加工開口２１４から離れるように動くようにする。ハンドル１１０、１２０が押圧されて互いに向かって動くと、第二のハンドル１２０は、駆動素子１４０を上方に動くよう促し、駆動素子１４０は、駆動素子１４０と係合素子２２２との係合を介して、加工ブロック２２０を押し上げて第一の軸（Ｌ１）に沿って上方に摺動させ、コネクタおよびケーブルを加工するようにする。本発明の一実施形態では、駆動素子１４０はＴ形突起などの雄構造であり、係合素子２２２は、Ｔ型突起と合致する溝などの雌構造である。Ｔ形構造は、駆動素子１４０が係合素子２２２から容易に係脱するのを防ぐ。このように、加工ブロック２２０は、駆動素子１４０によって、スロット２１２内で第一の軸（Ｌ１）に沿って上方または下方に摺動するよう作動される。
【００１３】
図２Ａ−５Ｂに示すように、加工開口２１４は、コネクタを加工するためのカセット本体２１０内に設けられる。加工開口２１４に対応して、加工ブロック２２０は、少なくとも一つの加工構造２２４を備える。動作時、係合素子２２２が駆動素子１４０によって作動されることにより、係合素子２２２を有する加工ブロック２２０は、加工開口２１４に関連して、スロット２１２内を第一の軸（Ｌ１）に沿って摺動する。加工ブロック２２０が稼働位置へと駆動されると、少なくとも一つの加工構造２２４が、加工開口２１４に少なくとも部分的に重なる。このように、少なくとも一つの加工構造２２４が、電話接続またはローカルエリアネットワーク（ＬＡＮ）用のケーブルを有するコネクタを圧着またはせん断するなど、加工開口２１４に置かれたコネクタを加工する。
【００１４】
一実施形態では、少なくとも一つの加工構造２２４は、二つの加工構造、すなわちカセット本体２１０の一方側に配置された圧着構造２２４ａ、およびカセット本体２１０の他方側に配置されたせん断構造２２４ｂを備える。図３Ａ、３Ｂ、５Ａ、および５Ｂに示すように、圧着構造２２４ａは、クリスタルジョイント（コネクタ）を圧着するための構造である。図２Ａ、２Ｂ、４Ａ、および４Ｂに示すように、せん断構造２２４ｂは、切断するためのブレードである。図４Ａ、４Ｂ、５Ａ、および５Ｂに示すように、加工ブロック２２０が稼働位置へと駆動されると、圧着構造２２４ａは加工開口２１４の一方側に部分的に重なり、せん断構造２２４ｂは、加工開口２１４の他方側に完全に重なる。
【００１５】
図６Ａおよび６Ｂに示した実施形態では、クリスタルコネクタ５０を圧着するための圧着構造２２４ａは、圧着機能を同時に行う二つの圧着ブロックＰ１、Ｐ２を備える。第一の圧着ブロックＰ１は、クリスタルコネクタ５０の本体を圧着するためのものであり、第二の圧着ブロックＰ２は、第一の圧着ブロックＰ１とせん断構造２２４ｂとの間に設けられ、クリスタルコネクタ５０の中に含まれる電気接触ブレード５４を、ケーブル６０のコア６２に固定するためのものである。加工ブロック２２０が駆動素子１４０によって稼働位置へと駆動されると、圧着構造２２４ａは、加工開口２１４の一方側に部分的に重なり、圧着構造２２４ａの第一の圧着ブロックＰ１は、クリスタルコネクタ５０の底部の隆線５２を押圧することで、隆線５２は変形し、折れる。変形し、折れた隆線５２は、ケーブルの最も外側の絶縁体を押しつぶすことで、ケーブル６０は、クリスタルコネクタ５０の内部に固定される。このように、クリスタルコネクタ５０の一部はケーブル６０を保持し、クリスタルコネクタ５０は、ケーブル６０の一端に強固に固定される。同時に、第二の圧着構造Ｐ２は、クリスタルコネクタ５０の電気接触ブレード５４を押し上げて上方に動かし、ケーブル６０のコア６２の絶縁体を貫通して穴をあけてケーブル６０のコア６２と電気接触するようにすることで、信号がコア６２からクリスタルコネクタ５０を介して対応する雌コネクタへと送信できるようになる。
【００１６】
一実施形態では、せん断構造２２４ｂは、コア６２の余剰部分をせん断するためのブレードである。加工ブロック２２０が駆動素子１４０によって稼働位置へと駆動されると、ブレード２２４ｂは、圧着構造２２４ａと反対の加工開口の側に完全に重なるまで第一の軸（Ｌ１）に沿って動き、同時に、クリスタルコネクタ５０の一端から突出するコア６２の端部をせん断する。好適な実施形態では、ブレード２２４はまた、図６Ａおよび６Ｂに示すように、コア６２の突出部分およびクリスタルコネクタ５０の付属物５６の両方をせん断するために構成できる。このように、せん断されたコア６２の端部は、クリスタルコネクタ５０のせん断された端部と同一平面上にある。本発明の代替の実施形態では、クリスタルコネクタ５０に対するせん断構造２２４ｂの位置は、特定のユーザの必要にしたがって配置することができ、図６Ａおよび６Ｂに示したものと異なってよい。
【００１７】
加工ブロック２２０が、コネクタおよび／またはケーブルを加工する際に安定しておよび適切に稼働することを確実にするために、カセット２００は、工具本体１００のヘッド１３０の開口１３１内に強固に設置されるべきである。図７Ａおよび７Ｂに示すように、工具本体１００のヘッド１３０は、開口１３１の内部側面に配置された第一の接続構造１３２をさらに備え、カセット２００のカセット本体２１０は、その上に配置された第二の接続構造２１６をさらに備え、第一の接続構造１３２は、カセット本体が工具本体１００内に固定されるように、第二の接続構造２１６と係合する。以下に説明するような、第一の接続構造１３２と第二の接続構造２１６との係合の設計は、カセット２２０と、工具本体１００のヘッド１３０の開口１３１との係合が強固になるという利点に加えて、カセット２００を工具本体１００のヘッド１３０に容易に組み付けられ、カセット２００を工具本体１００のヘッド１３０から容易に取り外せるという利点を有する。
【００１８】
第二の接続構造２１６は、カセット本体２１０が工具本体１００のヘッド１３０の開口１３１に配置される際、工具本体２１０のヘッド１３０の第一の面１３０ａおよび第二の面１３０ｂの一つに、第一の軸（Ｌ１）に垂直な第二の軸（Ｌ２）に沿って当接するストッパ２１６ａを備える。第二の接続構造２１６は、カセット本体２１０の二つの側面にそれぞれ配置された第一のフック２１６ｂおよび第二のフック２１６ｃを備える。第一のフック２１６ｂおよび第二のフック２１６ｃは、第二の軸（Ｌ２）に略平行な方向に、ストッパ２１６から離れるように延在する。ストッパ２１６ａが、工具本体２１０のヘッド１３０の第一の面１３０ａおよび第二の面１３０ｂの一つに当接すると、第一のフック２１６ｂおよび第二のフック２１６ｃは、工具本体１００のヘッド１３０の第一の面１３０ａおよび第二の面３０ｂの他方と係合し、カセット２００を工具本体１００のヘッド１３０に固定する。
【００１９】
図７Ａおよび７Ｂを参照すると、本発明の一実施形態は、右利きのユーザおよび左利きのユーザの両方に便利な圧着工具１０を提供する。具体的には、カセット２００は、工具本体１００のヘッド１３０の開口１３１に、工具本体１００のヘッド１３０の第一の面１３０ａまたは第二の面１３０ｂのいずれからでも挿入することができる。第二のハンドル１２０は、第一のハンドル１１０に関して、第一のハンドル１１０と第二のハンドル１２０との接合部に設けられたピボットについて枢動可能であるため、第一のハンドル１１０は静止ハンドルとして定義され、第二のハンドル１２０は移動ハンドルとして定義される。右利きのユーザが圧着工具１０を使う際は、図７Ａに示すように、カセット２００は、工具本体１００のヘッド１３０の開口１３１に、ヘッド１３０の第二の面１３０ｂから挿入されうる。このように、右利きのユーザは、その左手を使ってケーブルを有するコネクタを保持してそれをカセット２００の加工開口２１４内に設置し、その右手を使って圧着工具１０を操作することができる。第一のハンドル１１０は、第一のハンドル１１０が静止して保持されるよう、右手の親指と手のひらの間に置かれ、それらに当接する。右手の他の四本の指は、第二のハンドル１２０を押圧して第一のハンドル１１０に向かって動かすために、第二のハンドル１２０上に置かれる。右のハンドル１２０が第一のハンドル１１０の近郊へ（もしくはそれに当接するよう）動かされると、加工ブロック２２０は、駆動素子１４０によって稼働位置へと駆動され、ケーブルを有するコネクタが加工される。
【００２０】
同様に、左利きのユーザが圧着工具１０を操作する際は、図７Ｂに示すように、カセット２００は、工具本体１００のヘッド１３０の開口１３１に、ヘッド１３０の第一の面１３０ａから挿入されうる。よって、左利きのユーザは、その右手を使ってケーブルを有するコネクタを保持してそれをカセット２００の加工開口２１４内に設置し、その左手を使って圧着工具１０を操作することができる。第一のハンドル１１０は、第一のハンドル１１０が静止して保持されるよう、左手の親指と手のひらの間に置かれ、それらに当接する。左手の他の四本の指は、第二のハンドル１２０を押圧して第一のハンドル１１０に向かって動かしてコネクタを加工するために、第二のハンドル１２０上に置かれる。
【００２１】
本発明の一実施形態では、第一のフック２１６ｂおよび第二のフック２１６ｃは、カセット本体２１０の二つの側面に、第一の軸（Ｌ１）に沿って非対称に配置される。第一の接続構造１３２は、第一の切欠き１３２ａ、第二の切欠き１３２ｂ、第三の切欠き１３２ｃ、および第四の切欠き１３２ｄを備え、第一の切欠き１３２ａおよび第三の切欠き１３２ｃはヘッド１３０の開口１３１の一方の内部側面に配置され、第二の切欠き１３２ｂおよび第四の切欠き１３２ｄはヘッド１３０の開口１３１の他方の内部側面に配置される。第一の切欠き１３２ａおよび第四の切欠き１３２ｄは同じ第一の高さにあり、第二の切欠き１３２ｂおよび第三の切欠き１３２ｃは、同じ第二の高さにある。第一の高さは、第二の高さよりも高い。第一の切欠き１３２ａおよび第二の切欠き１３２ｂはヘッド１３０の第二の面１３０ｂからのくぼみを形成し、第三の切欠き１３２ｃおよび第四の切欠き１３２ｄはヘッド１３０の第一の面１３０ａからのくぼみを形成する。
【００２２】
上記の構造で、図７Ａに示すように、カセット２００が工具本体１００のヘッド１３０の開口１３１にヘッド１３０の第二の面１３０ｂから第二の軸（Ｌ２）に沿って挿入されると、第一のフック２１６ｂおよび第二のフック２１６ｃは、第一の切欠き１３２ａおよび第二の切欠き１３２ｂにそれぞれ係合する。第一のフック２１６ｂおよび第二のフック２１６ｃのヘッドは、最終的にヘッド１３０の第一の面１３０ａに当接し、ストッパ２１６ａは、ヘッド１３０の第二の面１３０ｂに当接する。同様に、図７Ｂに示すように、カセット２００が工具本体１００のヘッド１３０の開口１３１にヘッド１３０の第一の面１３０ａから第二の軸（Ｌ２）に沿って挿入されると、第一のフック２１６ｂおよび第二のフック２１６ｃは、第四の切欠き１３２ｄおよび第三の切欠き１３２ｃにそれぞれ係合する。第一のフック２１６ｂおよび第二のフック２１６ｃのヘッドは、最終的にヘッド１３０の第二の面１３０ｂに当接し、ストッパ２１６ａは、ヘッド１３０の第一の面１３０ａに当接する。従って、カセット２００は、ヘッドの開口１３１に、ユーザの習性に依って、ヘッド１３０の第一の面１３０ａまたは第二の面１３０ｂのいずれからでも挿入することができる。二つの組み付け方法のいずれにおいても、手工具１００は同じ圧着および／またはせん断機能を十分に行う。
【００２３】
上述の利点に加えて、加工ブロック２２０に設けられた圧着構造２２４ａおよびせん断構造２２４ｂの両方を用いて、圧着工具１００は、クリスタルコネクタ５０をケーブル６０に固定することと、クリスタルコネクタ５０の電気接続ブレード５４をケーブル６０のコア６２に電気接続することと、コア６２の突出部分およびクリスタルコネクタ５０の付属物５６の両方をせん断することと、を同時に一つのステップで行うよう使われることができる。
【００２４】
前述の実施形態は、当業者がここに開示された内容に関する洞察を得て本発明を適宜に実施できるようにするため、本発明の技術概念および特徴を説明するものである。しかしながら、実施形態は本発明の範囲を制限することを意図するものではないことが理解される。ゆえに、開示された実施形態に、本発明の精神および原則から外れることなく為されたの全ての同等の変更または変形は、付属のクレームの範囲内に入るべきである。
【図１Ａ】
2019071287.tif 000003
【図１Ｂ】
2019071287.tif 000004
【図２Ａ】
2019071287.tif 000005
【図２Ｂ】
2019071287.tif 000006
【図３Ａ】
2019071287.tif 000007
【図３Ｂ】
2019071287.tif 000008
【図４Ａ】
2019071287.tif 000009
【図４Ｂ】
2019071287.tif 000010
【図５Ａ】
2019071287.tif 000011
【図５Ｂ】
2019071287.tif 000012
【図６Ａ】
2019071287.tif 000013
【図６Ｂ】
2019071287.tif 000014
【図７Ａ】
2019071287.tif 000015
【図７Ｂ】
2019071287.tif 000016
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
圧着工具であって、
工具本体であって、
第一のハンドルと、
前記第一のハンドルに枢動可能に接続された第二のハンドルと、
前記第一のハンドルに接続され、且つ、その中に開口を有するヘッドと、
前記開口の内部側面に配置された第一の接続構造と、
を有する工具本体と、
前記工具本体の前記ヘッドの前記開口に着脱可能に配置されるためのカセット本体であって、その上に第二の接続構造を備える、カセット本体と、を備え、
前記第一の接続構造は、前記カセット本体が前記工具本体内に固定されるように、前記第二の接続構造と係合する、圧着工具。
【請求項２】
前記第二の接続構造は、ストッパと、第一のフックと、第二のフックと、を備え、
前記ストッパは、前記ヘッドに垂直な方向に沿って前記工具本体の前記ヘッドの第一の面および第二の面の一つに当接し、
前記第一のフックおよび前記第二のフックは、前記カセット本体の二つの側面にそれぞれ配置され、前記第一のフックおよび前記第二のフックは、前記方向に略平行な方向に前記ストッパから離れるように延在する、請求項１記載の圧着工具。
【請求項３】
前記第一のフックおよび前記第二のフックは、前記工具本体の前記ヘッドの前記第一および第二の面の他方と係合し、且つ、前記カセット本体の前記二つの側面に非対称に配置される、請求項２記載の圧着工具。
【請求項４】
前記第一の接続構造は、第一の切欠きと、第二の切欠きと、第三の切欠きと、第四の切欠きと、を備え、
前記第一の切欠きおよび前記第三の切欠きは、前記ヘッドの前記開口の一方の内部側面に配置され、前記第二の切欠きおよび前記第四の切欠きは、前記ヘッドの前記開口の他方の内部側面に配置され、
前記第一の切欠きおよび前記第二の切欠きは、前記ヘッドの前記第二の面からのくぼみを形成し、前記第三の切欠きおよび前記第四の切欠きは、前記ヘッドの前記第一の面からのくぼみを形成する、請求項３記載の圧着工具。
【請求項５】
前記第一の切欠きおよび前記第四の切欠きは、同じ第一の高さにあり、前記第二の切欠きおよび前記第三の切欠きは、同じ第二の高さにあり、前記第一の高さは、前記第二の高さよりも高く、
前記カセット本体が前記ヘッドの前記第二の側面側から前記ヘッドに挿入されると、前記第一のフックおよび前記第二のフックは、前記第一の切欠きおよび前記第二の切欠きに係合するためにそれぞれ配置され、前記カセット本体が前記ヘッドの前記第一の側面側から前記ヘッドに挿入されると、前記第一のフックおよび前記第二のフックは、前記第三の切欠きおよび前記第四の切欠きに係合するために配置される、請求項４記載の圧着工具。
【請求項６】
前記工具本体および前記カセットは、前記カセットが、前記工具本体の両側面のいずれか一方に挿入可能であるか、或いは取外し可能であるかの少なくとも一方である、請求項５記載の圧着工具。